(57)【特許請求の範囲】
【請求項１】
封入物の画像を選択画像表示領域から選択し、前記封入物を封筒に封入する順番及び当該封入物を封筒に封入して配置する向きに対応した画像を表示する読取画像表示領域に配置することにより、前記封筒に封入する際の前記順番と前記配置の向きとに対応して前記封入物が配列された画像である指示画像を生成する
ことを特徴とする封入物マッチング支援方法。
【請求項２】
前記封入物の配置の前記指示画像において、前記順番に前記封入物のそれぞれが順次重ね合わされて配置されており、この封入物の重ね合わせにおける上側に重ねられる封入物の画像により、下側に配置された封入物の画像が視認できない重なりの領域を、前記下側に配置された封入物の画像の少なくとも一部が視認されるように、前記指示画像における前記封入物の画像の数に対応して設定する
ことを特徴とする請求項１に記載の封入物マッチング支援方法。
【発明の詳細な説明】
【技術分野】
【０００１】
本発明は、封筒に封入する封入物のマッチングを行う封入物マッチング支援方法に関する。
【背景技術】
【０００２】
従来から、封筒に複数の種類の同封物を入れるため、それぞれの封筒にこれらの同封物を封入して封緘する封入封緘機が用いられている。
この封入封緘機のオペレータは、封入封緘機において封筒に封入する同封物を、封入封緘機におけるステーションに対して封入する順番に対応してセットする。このとき、オペレータは、同封物毎に封入する順番及び向きなどが記載された同封物指示書を参照して、各ステーションに対する同封物のセットを行う。（例えば特許文献１参照）。
【０００３】
上述した特許文献１には、同封物指示書には、同封物の画像が示され、これらの同封物を封入する順番が記載されている。
しかしながら、各ステーションに入れる同封物の封入する順番（封入）及び配置の向き（配置向き、例えば縦置き、横置き）などが記載されていても、文字で記載されているため、直感的に実際に封入する同封物の封入順や配置向きを認識して、同封物指示書の記載にマッチングさせることが難しい。また、封筒の種類や同封物の種類の組み合わせによるパターンが多くなると、同封物指示書の記載に対応したステーションへの配置に対するマッチング処理が煩雑となり、同封物指示書によるオペレータの各ステーションにおける同封物の配置及び確認が非常に困難となる。
【先行技術文献】
【特許文献】
【０００４】
【特許文献１】特開２００５−２３９１９４号公報
【発明の概要】
【発明が解決しようとする課題】
【０００５】
本発明は、このような事情に鑑みてなされたもので、パターンコードにおける同封物の封入順及び配置向きの指示を直感的に認識し、封入封緘機のステーションに対して同封物をセットする際に、同封物指示書における封入順及び配置向きと、実際にステーションにセットした封入順及び配置向きとを容易にマッチングできる同封物指示を行うことが可能な封入物マッチング支援方法を提供することを目的とする。
【課題を解決するための手段】
【０００６】
この発明は上述した課題を解決するためになされたもので、本発明の封入物マッチング支援方法は、封入物の画像を選択画像表示領域から選択し、前記封入物を封筒に封入する順番及び当該封入物を封筒に封入して配置する向きに対応した画像を表示する読取画像表示領域に配置することにより、前記封筒に封入する際の前記順番と前記配置の向きとに対応して前記封入物が配列された画像である指示画像を生成することを特徴とする。
【０００７】
本発明の封入物マッチング支援方法は、 前記封入物の配置の前記指示画像において、前記順番に前記封入物のそれぞれが順次重ね合わされて配置されており、この封入物の重ね合わせにおける上側に重ねられる封入物の画像により、下側に配置された封入物の画像が視認できない重なりの領域を、前記下側に配置された封入物の画像の少なくとも一部が視認されるように、前記指示画像における前記封入物の画像の数に対応して設定することを特徴とする。
【発明の効果】
【０００８】
この発明によれば、パターンコードにおける封入物の封入順及び配置向きの指示を直感的に認識し、封入封緘機のステーションに対して封入物をセットする際に、封入物指示書における封入順及び配置向きと、実際にステーションにセットした封入順及び配置向きとを容易にマッチングできる封入物指示を行うことが可能となる。
【図面の簡単な説明】
【０００９】
【図１】本発明の一実施形態による封入物マッチング支援システム１の構成例を示す概念図である。
【図２】本実施形態における画像データベース１８に記憶されている読取画像テーブルの構成例を示す図である。
【図３】本実施形態における表示部１６における表示画面の一例を説明する図である。
【図４】マッチングパターンデータベース１９に記憶されているマッチングパターンテーブルの構成例を示している。
【図５】画像封入順配列領域２５に読取画像を封筒に封入する順番に配列する処理の動作例を示すフローチャートである。
【図６】同封物指示情報シートを用いた封入封緘機の各ステーションに対する封筒、同封物及びフォームの各々の設定を説明する図である。
【図７】画像封入順配列領域２５における指示画像の表示の他の一例を示す図である。
【発明を実施するための形態】
【００１０】
以下、図面を参照して、本発明の実施の形態について説明する。図１は、本発明の一実施形態による封入物マッチング支援システム１の構成例を示す概念図である。この図１において、封入物マッチング支援システム１は、入力制御部１１、画像処理部１２、選択画像表示部１３、マージン算出部１４、封入順画像配列部１５、表示部１６、出力部１７、画像データベース１８及びマッチングパターンデータベース１９の各々を備えている。
オペレータは、封筒及び当該封筒に入れられる少なくとも１つの封入物である同封物（１個以上の封入物を示し、後述するフォームを含んで示す場合もある）の各々の画像をスキャナーにより読み取り、読み取った読取画像データに対して属性情報を付加して、封入物マッチング支援システム１に対して、入力手段（不図示、例えば、ＵＳＢ（Universal Serial Bus）端子やキーボード）を用いて入力する。また、後述する封筒及び同封物の正否の確認（正しい種類か否かの識別処理）を行うための確認画像も、この封筒、同封物の画像を読み取る時点で、同様に封筒及び同封物から読み取られる。
封筒及び同封物の各々画像は、スキャナでなく撮像装置で撮像して、読取画像データ及び確認画像データとしても良い。また、読取画像データ及び確認画像データにおいて、スキャナで読み取った画像と撮像装置で撮像した画像を混在させても良い。
入力制御部１１は、上記入力手段を介して入力される封筒、同封物の読取画像データと、属性データと、確認画像データの各々の情報を、画像データベース１８の読取画像テーブルに対して書き込んで記憶させる。
【００１１】
図２は、画像データベース１８に記憶されている読取画像テーブルの構成例を示す図である。ここで、封筒及び同封物は、送付元の会社単位で封筒及び同封物の各々の読取画像テーブルが設けられている。
読取画像テーブルは、各読取画像データの属性の項目として部材コード、名称、読取画像インデックス、配置向き、確認画像インデックス、確認画像位置の各々を有している。部材コードは、印行番号（同一種類の印刷物を管理する共通な文字列）などが用いられ、封筒及び同封物を識別するための識別情報である。名称は、封筒及び同封物の各々の名称である。読取画像インデックスは、画像データベース１８の画像記憶領域における、読取画像データが記憶されている領域を示すアドレスである。配置向きは、読取画像が読み取られた際の配置状態を基準とし、この基準に対して同封物指示情報シート（同封物指示書）の指示画像として読取画像を表示する場合に上記基準に対する回転角度などの情報である。確認画像インデックスは、画像データベース１８の画像記憶領域における、封筒及び同封物の各々の正否を確認するための確認画像データが記憶されている領域を示すアドレスである。確認画像位置は、封筒及び同封物における確認画像を画像データから抽出した位置を示している。
【００１２】
図１に戻り、画像処理部１２は、表示部１６の表示画面における選択画像表示領域に、読取画像テーブルに示される封筒及び同封物の各々を表示する。この際、画像処理部１２は、画像データベース１８の読取画像に対して表示サイズの変更処理を行う。すなわち、画像処理部１２は、読取画像データにおける封筒及び同封物の画像各々の表示サイズを変更する際、封筒、同封物及びフォームの各々の長辺の長さを所定の寸法Ｄとし、短辺の長さを、封筒、同封物それぞれの長辺と短辺の比に対して寸法Ｄを乗じた寸法に変更する画像処理を行う。また、画像処理部１２は、画像データベース１８に記憶されている読取画像データにおける封筒、同封物及びフォームの各々の画像の寸法を変更し、画像データベース１８の読取画像データのそれぞれに対して上書きし、読取画像データの更新を行う。
【００１３】
選択画像表示部１３は、上記選択画像表示領域に表示されている封筒あるいは同封物から選択された選択封筒、選択同封物の各々を、表示部１６の表示画面における選択枠表示領域の指定された選択画像表示枠に表示する。ここで、同封物指示情報シートの作成者は、例えば、選択画像表示領域においてマウスあるいはタッチパネルを介して指先などでドラッグされて選択された封筒及び同封物の各々の読取画像を、封筒に封入したい順番に対応させ、選択枠表示領域における配列した順番の選択画像表示枠にドロップする。ここで、封筒に封入する順番は、封筒の宛名が記載されている前面から後面に対して、封筒に封入される順番である。順番の数字が大きくなる程、封筒の前面から離れた位置（後面側）に封入される。
【００１４】
入力制御部１１は、上記作成者が選択画像表示領域（後述する図３における選択画像表示領域２３）において選択した読取画像と、この読取画像の移動過程での表示画面における選択した読取画像の位置、及び選択した読取画像をドロップした選択画像表示枠（後述する図３における選択画像表示枠２４＿０から２４＿６、２４＿１０から２４＿１２）の各々の位置情報を、選択画像表示部１３に対して出力する。この位置情報により、選択画像表示部１３は、ドラックアンドドロップにおける読取画像の移動過程において移動する画像、及びドロップされた選択画像表示枠に選択された読取画像を、表示部１６の表示画面上において表示する。
【００１５】
図３は、本実施形態における表示部１６における表示画面の一例を説明する図である。表示部１６の表示画面には、画像処理部１２によって、パターンコード表示枠２１、会社名表示枠２２、選択画像表示領域２３、選択枠表示領域２４、画像封入順配列領域２５の領域が表示される。パターンコードは、封筒と同封物との組み合わせに対して付与される識別情報である。この組み合わせは、例えば、封緘処理を依頼する顧客である会社、及び送付する目的（オブジェクト）毎に封入する同封物の種類などに対応している。会社名は、上記パターンコードに対応する会社名、例えば、パターンコードの封入封緘を依頼した顧客である会社の名称が表示される。
【００１６】
選択画像表示領域２３には、表示選択ボタンとして、封筒表示ボタン２３１、同封物表示ボタン２３２、フォーム表示ボタン２３３とが備えられている。これら封筒表示ボタン２３１、同封物表示ボタン２３２及びフォーム表示ボタン２３３の各々は、選択画像表示領域２３に対して、封筒の読取画像、同封物の読取画像及びフォームの読取画像の種別の画像のいずれを表示するかの選択を行う表示選択ボタンである。作成者は、マウス及び指などにより、これら表示選択ボタンを選択する。ここで、入力制御部１１は、いずれの表示選択ボタンが選択されたかを示す選択情報を、画像処理部１２に対して出力する。
【００１７】
例えば、図３においては、同封物表示ボタン２３２が選択されている状態であり、選択画像表示領域２３に同封物の読取画像２３２＿１、…、２３２＿４、…が表示されている。すなわち、画像処理部１２は、入力制御部１１から供給される上記選択情報が同封物表示ボタン２３２が選択されたことを示す情報であるため、選択画像表示領域２３に対して同封物の読取画像２３２＿１、…、２３２＿４、…を表示する。
【００１８】
選択枠表示領域２４は、選択画像表示領域２３から選択された封筒、同封物及びフォームの各々を表示する選択画像表示枠２４＿０、２４＿１、２４＿２、２４＿３、…、フォーム２４＿１０、２４＿１１、…が配列している。この並び順は、封入封緘機において封筒に封入する同封物及びフォームを配置するステーションの配列の順番に対応している。
選択画像表示枠２４＿０は、選択された封筒の読取画像が配置される選択画像表示枠であり、部材コード表示領域２４＿０＿１、読取画像表示領域２４＿０＿２、確認画像表示領域２４＿０＿３、確認画像拡大表示領域２４＿０＿４、確認画像位置表示領域２４＿０＿５の各々を備えている。部材コード表示領域２４＿０＿１には、この選択画像表示枠２４＿０に表示される読取画像に対応する部材コードが表示される。読取画像表示領域２４＿０＿２には、選択された封筒の読取画像が表示される。確認画像表示領域２４＿０＿３は、  選択された封筒の読取画像に対応する確認画像が表示される。確認画像拡大表示領域２４＿０＿４には、確認画像である封筒の部材コードの文字列が小さくて見難い場合など、確認画像の拡大画像が表示される。確認画像拡大表示領域２４＿０＿４に拡大画像を表示する場合、予め表示画像の表示の可否を設定する。確認画像位置表示領域２４＿０＿５には、確認画像が封筒のいずれかより抽出したかの位置情報、すなわち確認画像に対応する情報が封筒のいずれの場所に印刷あるいは貼付されているかの情報（例えば、「裏面に記載」などの情報）が示される。
【００１９】
作成者がマウスなどで、選択画像表示領域２３から選択してドラッグした封筒の読取画像を、読取画像表示領域２４＿０＿２にドロップした場合、入力制御部１１は、ドラッグした読取画像に対応する部材コードを選択画像表示部１３に対して出力する。選択画像表示部１３は、入力制御部１１から供給される部材コードに対応する読取画像インデックス及び配置向きを、画像データベース１８の読取画像テーブルから読み出す。そして、選択画像表示部１３は、読み出した読取画像インデックスに対応する読取画像データを画像データベース１８から読み出す。そして、選択画像表示部１３は、入力制御部１１から供給される読取画像がドロップされた読取画像表示領域２４＿０＿２に対し、配置向きの指示に対応した回転処理を行って読取画像を表示する。
【００２０】
このとき、選択画像表示部１３は、入力制御部１１から供給された部材コードを表示領域２４＿０＿１に表示する。また、選択画像表示部１３は、部材コードに対応する確認画像インデックス、確認画像位置の各々を読み出す。選択画像表示部１３は、確認画像インデックスに対応する確認画像データを画像データベース１８から読み出し、確認画像表示領域２４＿０＿３に対し、配置向きに対応して表示する（後述する画像封入順配列領域２５における配置向きに対応）。選択画像表示部１３は、読み出した確認画像位置をインデックスに対応する確認画像データを画像データベース１８から読み出し、確認画像位置表示領域２４＿０＿５に表示する。
【００２１】
選択画像表示枠２４＿１から２４＿６の各々は、選択された複数の同封物それぞれの読取画像が表示される。選択画像表示枠２４＿１から２４＿６の各々は、すでに説明した選択画像表示枠２４＿０の構成と同様である。例えば、選択画像表示枠２４＿１は、部材コード表示領域２４＿１＿１、読取画像表示領域２４＿１＿２、確認画像表示領域２４＿１＿３、確認画像拡大表示領域２４＿１＿４、確認画像位置表示領域２４＿１＿５の各々を備えている。図３においては、選択画像表示枠２４＿１に同封物としての返信封筒が表示されている。この場合、確認画像表示領域２４＿１＿３には、封筒に印刷されている料金別納の印が確認画像として表示されている。
選択画像表示枠２４＿１０には、フォームの読取画像が表示され、画像名称領域２４＿１０＿１と読取画像表示領域２４＿１０＿２とを備えている。画像名称領域２４＿１０＿１には、フォームの名称が記載されている。読取画像表示領域２４＿１０＿２には、フォームの読取画像が表示される。選択画像表示枠２４＿１１及び２４＿２の各々は、選択画像表示枠２４＿１０と同様の構成である。
【００２２】
画像封入順配列領域２５には、選択枠表示領域２４の選択画像表示枠に表示されている封筒、同封物及びフォームの各々の読取画像が配置され、すなわち選択枠表示領域２４における選択枠の配列順と同一の配列順に配置された指示画像２５１が表示される。この指示画像２５１は、配列されたそれぞれの読取画像の少なくとも一部である所定の領域が視認できるように、所定のマージンを持たせて（後に詳述）、配列順番が小さい読取画像が重なりの上部（手前側）となるようにそれぞれ重ね合わされて配置されて表示される。ここで、指示画像２５１において、読取画像５０２（選択画像表示枠２４＿１０に表示されているフォームの読取画像）は、封筒が窓封筒である場合、同封物として最も前面に封入される請求書のかがみなどである。すなわち、このかがみに印刷されている住所、宛名は、封筒に封入した際、窓封筒の窓から観察可能である必要がある。このため、封筒に封入される順番は、フォーム（かがみ）が最も小さい配列順番であり、封筒以降は、選択画像表示枠２４＿１から２４＿６の各々の配列順番が大きくなるに従い、指示画像の読取画像の配列において、順次重ね合わせの下部（後ろ側）に配置される。
【００２３】
したがって、図３における画像封入順配列領域２５の指示画像における封筒、同封物及びフォームの各々の表示される配列順番は、選択画像表示枠２４＿０の封筒、選択画像表示枠２４＿１０から２４＿１２のフォーム、選択画像表示枠２４＿１から２４＿６の同封物の各々の読取画像の順番である。本実施形態においては、Ｘ軸及びＹ軸の座標からなる、画像封入順配列領域２５の２次元配列平面において、画像封入順配列領域２５の左下が読取画像の配列を開始する原点となっている。これは、封筒の右側あるいは上側から、同封物及びフォームの各々を封筒に封入する状態に対応しており、封筒に対する封入順に対応する配列順番で指示画像を表示することにより、オペレータの封筒に対する封入順を直感的に視認させることを目的としている。しかしながら、画像封入順配列領域２５のいずれの頂点を、指示画像における読取画像の配置を開始する原点としても良い。
【００２４】
図４は、マッチングパターンデータベース１９に記憶されているマッチングパターンテーブルの構成例を示している。マッチングパターンテーブルは、作成者が生成した、図３の表示画面に対応する封筒、同封物及びフォームの組み合わせを示すマッチングパターンの情報が記載されている。また、マッチングパターンテーブルは、パターンコード、会社名、配置順番、部材コード、名称、配置向き、読取画像インデックス、確認画像インデックス、確認画像位置の各々の欄を備えている。
【００２５】
パターンコードの欄には、生成されたマッチングパターンのパターンコードが記載される。会社名の欄には、このマッチングパターンを指定した顧客である会社名が記載される。配置順番の欄には、画像封入順配列領域２５において、左下を原点として配列する際の配置の順番が記載される。例えば、図３に対応した記載の場合、配置順が封筒が１番であり、フォームが２番であり、同封物が３番から５番となる。また、部材コード、名称、配置向き、読取画像インデックス、確認画像インデックス、確認画像位置の各々は、図２で説明した定義とそれぞれ同様の情報である。
【００２６】
図１に戻り、選択画像表示部１３は、選択枠表示領域２４における選択画像表示枠の各々の配列順に対応し、それぞれの選択画像表示枠に設定（表示）された読取画像を画像封入順配列領域２５に表示する順番（配置順番）を判定する。そして、選択画像表示部１３は、この配置順番に従い、図４に示すマッチングパターンテーブルを生成する。すなわち、選択画像表示部１３は、選択枠表示領域２４における選択画像表示枠の各々の配列順に、それぞれの部材コードにより、対応する名称、配置向き、読取画像インデックス、確認画像インデックス及び確認画像位置を読取画像テーブルから読み出し、マッチングパターンデータベース１９のマッチングテーブルに対して順次書き込み、パターンコード毎のマッチングテーブルを生成する。
【００２７】
マージン算出部１４は、画像封入順配列領域２５に読取画像を配列して指示画像を生成する際、各読取画像の指示画像における重ね合わせのマージンを計算する。図３の表示部１６の表示画面の画像封入順配列領域２５において、読取画像は配列順にそれぞれが重ね合わされて表示されている。重なりは封筒への封入する順番に対応しており、封筒の読取画像が最上部に配置され、封筒の読取画像の下部にフォームが配置され、フォームの下部に順次、選択画像表示枠の配列順に同封物の読取画像の各々が配置されている。この重なりにおいて、マージンは下部に配置される読取画像が上部の読取画像からはみ出て（重ならないようにして）表示される領域を規定する数値である。すなわち、封筒の右上の頂点を起点とすると、この起点の座標に対してマージン（図３におけるΔｘ、Δｙ）を座標移動した座標位置にフォームの右上の頂点一致するように、封筒の読取画像の下部にフォームの読取画像が配置させる。これにより、下部のフォームの読取画像が上部の封筒の読取画像から、図３に示す様に、右辺の端部からｘ軸方向にマージンΔｘの領域、上辺のｙ軸方向にマージンΔｙの領域が上部の封筒の読取画像からはみ出した状態で表示される。
封入順画像配列部１５は、マッチングパターンデータベース１９におけるマッチングパターンテーブルを参照し、配置順番に従って封筒、同封物及びフォームの各々の読取画像を、指示画像において上記マージンを持たせて重ね合わせて配置する。
【００２８】
表示部１６は、すでに説明したように、作成者が作成する図３の同封物指示情報シートの画像などが表示画面に表示され、例えば、液晶ディスプレイなどの表示装置である。
出力部１７は、図示しない入力手段から入力制御部１１を介して供給される、作成者の出力指示により、例えばプリンタから図３の表示画面を、同封物指示情報シートとして印刷する。この印刷された同封物指示情報シートが封入封緘機のオペレータに渡され、オペレータは、この同封物指示情報シートを参照しながら、封入封緘機の各ステーションに、封入する順番に対応して同封物、フォームをセットする。
画像データベース１８には、読取画像テーブル、読取画像データ及び確認画像データの各々が書き込まれて記憶されている。
マッチングパターンデータベース１９には、マッチングパターン毎のマッチングパターンテーブルが書き込まれて記憶されている。
【００２９】
次に、図３及び図５を用いて、画像封入順配列領域２５に読取画像を、封筒に封入する順番に配列する処理について説明する。図５は、画像封入順配列領域２５に読取画像を封筒に封入する順番に配列する処理の動作例を示すフローチャートである。
ステップＳ１：
同封物指示情報シートの作成を行うアプリケーションが起動されると、封入順画像配列部１５は、マッチングパターンデータベース１９のマッチングパターンテーブルを参照し、読取画像の数の確認を行う。
【００３０】
ステップＳ２：
封入順画像配列部１５は、マッチングパターンテーブルの参照した結果において、読取画像の数が増加（読取画像が変更された場合も含む）したか否かの判定を行う。このとき、封入順画像配列部１５は、マッチングパターンテーブルにおける読取画像の数が増加した場合、処理をステップＳ３へ進め、一方、読取画像の数が変化していない場合、処理をステップＳ１へ進める。
【００３１】
ステップＳ３：
封入順画像配列部１５は、増加した読取画像が第１画像である封筒の読取画像５０１であるか、指示画像においてこの読取画像５０１の下部に重ね合わせて順次配置される第２画像以降の読取画像であるかの判定を行う。ここで、封入順画像配列部１５は、マッチングテーブルにおいて、配列順番が１番の読取画像を第１画像として、上記判定処理を行う。第２画像以降の読取画像は、上記読取画像５０１が第１画像としての所定位置に配置された後に、指示画像２５１において配置される第２画像である読取画像５０２以降の読取画像を示している。
このとき、封入順画像配列部１５は、マッチングパターンテーブルにおいて増加した読取画像が第１画像である場合、処理をステップＳ４へ進め、一方、第２画像以降である場合、処理をステップＳ５へ進める。
【００３２】
ステップＳ４：
封入順画像配列部１５は、マッチングパターンデータベース１９のマッチングパターンテーブルを参照し、配置順番の番号１の封筒の読取画像を読み出すとともに、配置向きの情報の記載された欄を参照する。そして、封入順画像配列部１５は、例えば、配置向きの欄に「右に９０度回転」と記載されている場合、選択画像表示領域２３に表示されている読取画像２３２＿１の配置の状態から、右に９０度回転させ、左下の頂点が画像封入順配列領域２５の原点Ｏと重なるように、画像封入順配列領域２５に指示画像の１画像目として表示する。ここで、画像封入順配列領域２５における２次元平面は、原点からｘ軸方向への画素数がｘ軸におけるｘ座標を示し、原点からｙ軸方向への画素数がｙ軸におけるｙ座標を示している。一方、封入順画像配列部１５は、例えば、配置向きの欄に「無回転」とあれば、選択画像表示枠２４−０に表示された向きの状態で、読取画像５０１を画像封入順配列領域２５に対して表示する。
【００３３】
ステップＳ５：
そして、封入順画像配列部１５は、２画像目以降を表示するために必要なマージンΔｘ及びΔｙの算出を、マージン算出部１４に対して要求する。
この要求に対応し、マージン算出部１４は、マージンΔｘ及びΔｙの算出を行う際、１画像目の封筒の読取画像５０１の右上部の頂点Ａの座標Ｍ１を、第２画像以降を配置する起点とする。この起点の座標Ｍ１は、配置した際における読取画像５０１のｘ軸に平行な横辺の長さ（横辺の画素数）がｘ座標Ｍｘ１となり、読取画像５０１のｙ軸に平行な縦辺の長さ（縦辺の画素数）がｙ座標Ｍｙ１となる。
【００３４】
ここで、マージン算出部１４は、画像封入順配列領域２５のｘ軸方向の長さ（画素数）ＬからＭｘ１を減算し、画像封入順配列領域２５に表示する読取画像の数ｎから１減算したｎ−１により除算し、マージンΔｘを算出する（Δｘ＝（Ｌ−Ｍｘ１）／（ｎ−１））。同様に、マージン算出部１４は、画像封入順配列領域２５のｙ軸方向の長さ（画素数）ＨからＭｙ１を減算し、画像封入順配列領域２５に表示する読取画像の数ｎから１減算したｎ−１により除算し、マージンΔｙを算出する（Δｙ＝（Ｈ−Ｍｙ１）／（ｎ−１））。そして、マージン算出部１４は、算出したマージンΔｘ及びΔｙの各々を、封入順画像配列部１５に対して出力する。
【００３５】
また、予めマージンの最大値が設定されている場合、例えばΔｘ及びΔｙの各々が３０画素の距離がマージンとして設定されている。マージン算出部１４は、算出されたマージンがこの最大値の画素数を超えた場合、予めマージンの最大値として設定されている画素数を求めたマージンΔｘ及びΔｙの各々として、封入順画像配列部１５に対して出力する。このマージンΔｘ及びΔｙにより、重ねられて下部に配置される読取画像の所定の範囲の画像領域が視認でき、いずれの読取画像に対応するかを確認することができる。本実施形態においては、このマージンΔｘ及びΔｙをずらして、指示画像における読取画像の各々を重ねることにより、マッチングさせる下部の読取画像が上部に配置された他の読取画像で視認できなくなることを防止している。これにより、マッチングする対象物である読取画像を封筒に封入する順序と配置向きとがビジュアル的に確認することができる。
【００３６】
ステップＳ６：
次に、封入順画像配列部１５は、画像封入順配列領域２５における指示画像において、第２画像を画像封入順配列領域２５に表示する際、２画像目の読取画像５０２の右上の頂点Ｂの座標Ｍ２（Ｍｘ２，Ｍｙ２）を求める。このとき、封入順画像配列部１５は、読取画像５０１の起点のｘ座標Ｍｘ１、ｙ座標Ｍｙ１の各々に対し、供給されたマージンΔｘ、Δｙそれぞれを加算し、Ｍｘ２＝Ｍｘ１＋Δｘとし、Ｍｙ２＝Ｍｙ１＋Δｙとして、座標Ｍ２（Ｍｘ２，Ｍｙ２）を求める。
【００３７】
そして、封入順画像配列部１５は、 指示画像の読み取り画像の重ね合わせにおいて、１画像目の読取画像５０１の下部に、２画像目の読取画像５０２の頂点Ｂの座標Ｍ２が（Ｍｘ１＋Δｘ，Ｍｙ１＋Δｙ）となる位置に配置して表示する。
すなわち、封入順画像配列部１５は、第２画像以降の読取画像ｍ（ｍ≧２）を画像封入順配列領域２５の指示画像に対して表示する際、新たな読取画像ｍを重ね合わせて配置する際、直前に配置した画像の下部に、新たに配置する読取画像の右上の頂点の座標ＭｍがＭｍ（Ｍｘ１＋（ｍ−１）Δｘ，Ｍｙ１＋（ｍ−１）Δｙ）となる位置に配置して表示する。これにより、画像封入順配列領域２５に配置される読取画像の数により、読取画像を重ねる際のマージンを設定、すなわち各読取画像の重なりの領域を伸縮させることが容易に行え、画像封入順配列領域２５の限られた範囲において、複数の読取画像の重ね合わせである、指示画像を効率的に作成することができる。
【００３８】
ステップＳ７：
次に、封入順画像配列部１５は、入力制御部１１を介して、同封物指示情報シートの作成を行うアプリケーションの終了が通知された場合、処理を終了し、一方、同封物指示情報シートの作成を行うアプリケーションの終了が通知されない場合、処理をステップＳ１へ進める。
【００３９】
図１に戻り、出力部１７は、ユーザからの同封物指示情報シートの印刷指示が、入力制御部１１を介して供給されると、プリンタなどにより同封物指示情報シートを印刷する。
そして、オペレータは、与えられる同封物指示情報シートを参照して、封入封緘機において、封筒のステーションに封筒をセットし、この封筒に封入する順番に合わせて、同封物用、あるいはフォーム用の各ステーションに対し、同封物及びフォームのそれぞれを、セットする作業を行う。
【００４０】
図６は、同封物指示情報シートを用いた封入封緘機の各ステーションに対する封筒、同封物及びフォームの各々の設定を説明する図である。
オペレータは、印刷された、あるいは端末の表示画面に表示された同封物指示情報シートを参照しながら、封入封緘機の各ステーションに対し、封筒、同封物及びフォームの各々を、この同封物指示情報シートの画像封入順配列領域２５における指示画像の配列順（矢印Ｈ方向）に、配置向きに対応する向きでステーションにセットする動作を行う。
図６における封入封緘機におけるステーション３１、３２，３３，３４，３５、３６、３７、３８、３９、４０の各々は、選択枠表示領域２４における選択画像表示枠２４＿０、２４＿１０，２４＿１１、２４＿１２、２４＿１、２４＿２、２４＿３、２４＿４、２４＿５、２４＿６それぞれに対応している。例えば、選択画像表示枠２４＿０に表示されている読取画像に対応する封筒がステーション３１にセットされる。また、選択画像表示枠２４＿１０に表示されている読取画像に対応するフォームがステーション３２にセットされる。選択画像表示枠２４＿１に表示されている読取画像に対応する同封物は、ステーション３５にセットされる。
【００４１】
また、図７は、画像封入順配列領域２５における指示画像の表示の他の一例を示す図である。図３においては、指示画像における同封物の読取画像各々の配置の向きは同一であった。しかしながら、図７においては、同封物の読取画像の各々の向きが同一でない場合の指示画像を示している。指示画像２５１において、読取画像５１２、５１４、５１５が配置向きが「右に９０度回転」であり、読取画像５１３が「回転無し」である。ここで、封筒の読取画像５１１を見て判るように、上記場合の封筒は、同封物の読取画像の各々の向きが同一でなくとも、指示画像の各同封物（フォームも含む）を封入可能な形状をしている。
この図７の場合においても、図６ですでに説明したフローチャートの処理に従い、マージンΔｘ、Δｙを求めて、画像封入順配列領域２５において、各読取画像を指示画像として配置することができる。
【００４２】
このとき、実物の封筒、同封物及びフォームの各々を封入する処理を開始する際に同封物指示情報シートの選択枠表示領域２４の読取画像の順番、及び画像封入順配列領域２５における指示画像に基づき、ダミーの封筒、同封物及びフォームの各々を、ステーション３１、３２，３３，３４，３５、３６、３７、３８、３９、４０のそれぞれにセットして、封入封緘機において実際に封入封緘処理を行う。そして、ダミーの封筒に封入されたダミーの同封物及びフォームが封入された、封入封緘機が出力するダミーの封入封緘結果３０を得る。オペレータは、出力された封入封緘結果３０の封筒に封入されている同封物及びフォームの封入された順番及び配置向きと、同封物指示情報シートの指示画像における封筒に封入される同封物及びフォームの封入における順番及び配置向きとを比較する。
【００４３】
本実施形態によれば、同封物指示情報シートにおいて、封入の順番を指定するのみでなく、実際に封入される順番を示す同封物及びフォームの配列された画像である、同封物指示情報シートの画像封入順配列領域２５における指示画像により、封筒に封入する際の同封物及びフォームの向きに合わせて、かつ同封物及びフォームの封筒への封入する順番がビジュアル的に提示されるため、同封物及びフォームの封入順番及び封入の向きを直感的に判定することができる。
また、本実施形態によれば、同封物及びフォームの各々が封筒に封入される順番を明確とするために読取画像を重ね合わせて表示する際、重なりの下部に配置される読取画像の各々の所定の範囲が視認できるように、指示画像の重なりにおいて上部の読取画像から下部の読取画像の所定の範囲をはみ出させるマージンを持たせているため、画像封入順配列領域２５に効率的に複数の読取画像を封入する順に配置でき、かつ重ね合わされたそれぞれの読取画像の種類の判別を容易に行うことができる。
また、本実施形態によれば、画像封入順配列領域２５に配置される読取画像の数により、読取画像を重ねる際のマージンを伸縮させるため、画像封入順配列領域２５の限られた範囲において、複数の読取画像の重ね合わせである、指示画像を効率的に作成することができる。
【００４４】
また、図１における封入物マッチング支援システム１における同封物指示情報シートの生成機能を実現するためのプログラムをコンピュータ読み取り可能な記録媒体に記録して、この記録媒体に記録されたプログラムをコンピュータシステムに読み込ませ、実行することにより、同封物指示情報シートの生成における管理処理を行ってもよい。なお、ここでいう「コンピュータシステム」とは、ＯＳや周辺機器等のハードウェアを含むものとする。
【００４５】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４６】
以上、この発明の実施形態を図面を参照して詳述してきたが、具体的な構成はこの実施形態に限られるものではなく、この発明の要旨を逸脱しない範囲の設計等も含まれる。
【符号の説明】
【００４７】
１…封入物マッチング支援システム
１１…入力制御部
１２…画像処理部
１３…選択画像表示部
１４…マージン算出部
１５…封入順画像配列部
１６…表示部
１７…出力部
１８…画像データベース
１９…マッチングパターンデータベース
【図１】
0006700057.tif 000002
【図２】
0006700057.tif 000003
【図３】
0006700057.tif 000004
【図４】
0006700057.tif 000005
【図５】
0006700057.tif 000006
【図６】
0006700057.tif 000007
【図７】
0006700057.tif 000008